(57)【要約】      （修正有）【課題】手掛穴に伸縮性フィルムが貼着された合成樹脂製折り畳みコンテナであって、何度折り畳んでも伸縮性フィルムが剥離しにくく、しかも、伸縮性フィルムを貼り替える際には剥離しやすいようにした折り畳みコンテナを提供する。【解決手段】折り畳みコンテナは、上枠に対して揺動する前後壁及び左右壁を具えている。前後壁の上辺には凹部１３が設けられ、上枠には凸部１４が設けられ、両者が係合して揺動可能となっている。凹部１３の下方に設けられた手掛穴５ｂには、それを覆うように伸縮性フィルムが貼着されている。伸縮性フィルムは、凹部１３及び凸部１４も覆っているが、この箇所では粘着剤によって貼着されていない。また、伸縮性フィルムの端部６ａも粘着剤によって貼着されていない。【選択図】図５
2016033049.tif 000002
【特許請求の範囲】
【請求項１】
長方形又は正方形の底板と、該底板の各辺上に立設しうる前後壁及び左右壁と、該前後壁及び該左右壁の上辺に係合された上枠とよりなる合成樹脂製折り畳みコンテナにおいて、
前記上枠の下端から垂下する凸部と前記前後壁及び前記左右壁の前記上辺に設けられた凹部とが係合することにより、前記前後壁及び前記左右壁は前記上枠に対して９０度以上揺動可能に係合されており、
前記左右壁の前記凹部の下方に手掛穴が設けられており、
前記左右壁の内面から、伸縮性フィルムが前記手掛穴を覆い、かつ、前記左右壁の前記凹部を覆うことなく、前記伸縮性フィルムに塗布された粘着剤によって貼着されており、
前記粘着剤は、前記手掛穴に相当する前記伸縮性フィルムの部位及び前記伸縮性フィルムの端部には存在しないことを特徴とする合成樹脂製折り畳みコンテナ。
【請求項２】
長方形又は正方形の底板と、該底板の各辺上に立設しうる前後壁及び左右壁と、該前後壁及び該左右壁の上辺に係合された上枠とよりなる合成樹脂製折り畳みコンテナにおいて、
前記上枠の下端から垂下する凸部と前記前後壁及び前記左右壁の前記上辺に設けられた凹部とが係合することにより、前記前後壁及び前記左右壁は前記上枠に対して９０度以上揺動可能に係合されており、
前記前後壁は水平方向に折曲可能であって、前記前後壁の前記凹部の下方に手掛穴が設けられており、
前記前後壁の内面から、伸縮性フィルムが前記手掛穴、前記凸部及び前記凹部を覆って、前記伸縮性フィルムに塗布された粘着剤によって貼着されており、
前記粘着剤は、前記手掛穴、前記凸部及び前記凹部に相当する前記伸縮性フィルムの部位及び前記伸縮性フィルムの端部には存在しないことを特徴とする合成樹脂製折り畳みコンテナ。
【請求項３】
請求項１記載の合成樹脂製折り畳みコンテナであって、
前記前後壁は水平方向に折曲可能であって、前記前後壁の前記凹部の下方に手掛穴が設けられており、
前記前後壁の内面から、伸縮性フィルムが前記手掛穴、前記凸部及び前記凹部を覆って、前記伸縮性フィルムに塗布された粘着剤によって貼着されており、
前記粘着剤は、前記手掛穴、前記凸部及び前記凹部に相当する前記伸縮性フィルムの部位及び前記伸縮性フィルムの端部には存在しないことを特徴とする合成樹脂製折り畳みコンテナ。
【請求項４】
請求項２又は３記載の合成樹脂製折り畳みコンテナであって、
前記伸縮性フィルムが複数の前記凸部及び前記凹部を覆っており、
複数の前記凸部及び前記凹部間と前記手掛穴の上辺で区画された領域においても、前記粘着剤が存在しない合成樹脂製折り畳みコンテナ。
【請求項５】
伸縮性フィルムの前記端部に、印刷を施すことにより、結果的に前記粘着剤が存在しないように構成されている請求項１乃至４のいずれか一項に記載の合成樹脂製折り畳みコンテナ。
【請求項６】
前記伸縮性フィルムが長方形であり、該長方形の下辺端が前記端部となっている請求項１乃至５のいずれか一項に記載の合成樹脂製折り畳みコンテナ。
【請求項７】
請求項１記載の折り畳みコンテナを製造する際に用いる粘着ラベルであって、剥離紙、粘着剤層、合成樹脂製フィルム及び伸縮性フィルムの順に積層されてなり、前記剥離紙、前記粘着剤層及び前記合成樹脂製フィルムは、前記手掛穴に相当する部位に存在せず、かつ、前記粘着剤層は前記伸縮性フィルムの端部に存在しないことを特徴とする粘着ラベル。
【請求項８】
請求項２記載の折り畳みコンテナを製造する際に用いる粘着ラベルであって、剥離紙、粘着剤層、合成樹脂製フィルム及び伸縮性フィルムの順に積層されてなり、剥離紙、粘着剤層及び合成樹脂製フィルムは、前記手掛穴、前記凸部及び前記凹部に相当する部位に存在せず、かつ、前記粘着剤層は前記伸縮性フィルムの端部に存在しないことを特徴とする粘着ラベル。
【請求項９】
合成樹脂製フィルムはポリエステルフィルム又はポリオレフィンフィルムであり、伸縮性フィルムはポリウレタンフィルムである請求項７又は８記載の粘着ラベル。
【請求項１０】
伸縮性フィルムの端部に粘着剤が存在し、該粘着剤表面に印刷を施すことによって、結果的に該粘着剤が存在しない状態となっている請求項７又は８記載の粘着ラベル。
【発明の詳細な説明】
【技術分野】
【０００１】
本発明は、壁に手掛穴を有する合成樹脂製折り畳みコンテナに関し、特に手掛穴からネズミやゴキブリ等が進入したり、ＰＭ２．５の如き微小粒子状物質が入り込まないようにした合成樹脂製折り畳みコンテナに関するものである。
【背景技術】
【０００２】
従来より、生鮮食料品等の宅配に合成樹脂製折り畳みコンテナが用いられている。かかる合成樹脂製折り畳みコンテナには、人手で搬送するのに便利なように、手掛穴が壁に設けられているものがある（特許文献１）。しかるに、宅配時に家人が留守の場合、玄関等の屋外に生鮮食料品等が収納された合成樹脂製折り畳みコンテナを置いてゆくことになる。このような状態で折り畳みコンテナが置かれていると、手掛穴からネズミやゴキブリが進入したり、ＰＭ２．５の如き微小粒子状物質が入り込んで、収納されている生鮮食料品等が不衛生になり、食の安全が害されるという問題があった。
【０００３】
かかる問題を解決するためには、手掛穴に伸縮性フィルムを貼着し、手掛穴を封鎖すればよいと考えられる。すなわち、片面に粘着剤が塗布された伸縮性フィルムを、手掛穴を覆うようにして、壁の外面又は内面に貼着すればよいと考えられる。しかしながら、何らの工夫もなく貼着すると、折り畳みコンテナを何度も折り畳んでいるうちに、貼着された伸縮性フィルムが剥離してくるということがあった。この理由は折り畳みに伴い、折り畳み部に存在するヒンジ等が浮沈するため、当該部位で粘着剤が擦れたり歪んだりして、粘着力が低下するからというのが主たるものである。
【０００４】
また、合成樹脂製折り畳みコンテナの場合は、使い捨てではなく、何度も使用され、汚れたら洗浄してさらに使用されるものである。洗浄時に、手掛穴に貼着された伸縮性フィルムを剥離し、洗浄後に新しい伸縮性フィルムに貼り替えることもあるが、洗浄時に伸縮性フィルムが剥離しにくいということがあった。また、伸縮性フィルムが破れたりしたときには、新しい伸縮性フィルムに貼り替える必要があるが、このときにも破れた伸縮性フィルムを剥離しにくいということがあった。
【０００５】
【特許文献１】特開２０１２−１１１５１９号公報
【発明の概要】
【発明が解決しようとする課題】
【０００６】
本発明は、上記欠点を解決することを課題とするものであり、折り畳みコンテナを何度折り畳んでも伸縮性フィルムが剥離しにくく、しかも、伸縮性フィルムを貼り替える際には剥離しやすいようにした折り畳みコンテナを提供することを課題とするものである。
【課題を解決するための手段】
【０００７】
本発明は、伸縮性フィルムを特定の箇所に貼着すると共に、伸縮性フィルムの一部に非貼着部を設けることにより、上記課題を解決したものである。すなわち、第一発明は、長方形又は正方形の底板と、該底板の各辺上に立設しうる前後壁及び左右壁と、該前後壁及び該左右壁の上辺に係合された上枠とよりなる合成樹脂製折り畳みコンテナにおいて、前記上枠の下端から垂下する凸部と前記前後壁及び前記左右壁の前記上辺に設けられた凹部とが係合することにより、前記前後壁及び前記左右壁は前記上枠に対して９０度以上揺動可能に係合されており、前記左右壁の前記凹部の下方に手掛穴が設けられており、前記左右壁の内面から、伸縮性フィルムが前記手掛穴を覆い、かつ、前記左右壁の前記凹部を覆うことなく、前記伸縮性フィルムに塗布された粘着剤によって貼着されており、前記粘着剤は、前記手掛穴に相当する前記伸縮性フィルムの部位及び前記伸縮性フィルムの端部には存在しないことを特徴とする合成樹脂製折り畳みコンテナに関するものである。この第一発明は、左右壁の特定の箇所に伸縮性フィルムが貼着されている点に特徴を有するものである。
【０００８】
また、第二発明は、長方形又は正方形の底板と、該底板の各辺上に立設しうる前後壁及び左右壁と、該前後壁及び該左右壁の上辺に係合された上枠とよりなる合成樹脂製折り畳みコンテナにおいて、前記上枠の下端から垂下する凸部と前記前後壁及び前記左右壁の前記上辺に設けられた凹部とが係合することにより、前記前後壁及び前記左右壁は前記上枠に対して９０度以上揺動可能に係合されており、前記前後壁は水平方向に折曲可能であって、前記前後壁の前記凹部の下方に手掛穴が設けられており、前記前後壁の内面から、伸縮性フィルムが前記手掛穴、前記凸部及び前記凹部を覆って、前記伸縮性フィルムに塗布された粘着剤によって貼着されており、前記粘着剤は、前記手掛穴、前記凸部及び前記凹部に相当する前記伸縮性フィルムの部位及び前記伸縮性フィルムの端部には存在しないことを特徴とする合成樹脂製折り畳みコンテナに関するものである。この第二発明は、前後壁の特定の箇所に伸縮性フィルムが貼着されている点に特徴を有するものである。
【０００９】
さらに、第三発明は、第一発明において第二発明を適用したものであり、左右壁及び前後壁の特定の箇所に伸縮性フィルムが貼着されている点に特徴を有するものである。
【００１０】
本発明に係る折り畳みコンテナの基本的構成は図１に示したとおりである。すなわち、長方形又は正方形の底板１の各辺上に前後壁３，３及び左右壁２，２が立設しうるように構成されている。前後壁３，３及び左右壁２，２は、その上辺で上枠４に係合されている。前後壁３，３及び左右壁２，２は、いずれも、上枠４に対して９０度以上揺動可能に係合されており、いずれも内側に略９０度折り畳むことによって、体積を小さくしうるものである。上枠４と前後壁３，３及び左右壁２，２の係合手段は、図２乃至図５に示すとおり、上枠４に凸部１４，１４，１４・・・を連設する一方、前後壁３，３には凹部１３，１３，１３・・・を連設し、左右壁２，２にも凹部１２，１２，１２・・・を連設し、当該凸部と当該凹部とを噛み合わせるのである。噛み合わせは任意の手段で行うことができる。たとえば、図示していないが、凸部１４，１４，１４・・・の側面にリブを設け、このリブを嵌合しうる溝を凹部１３，１３，１３・・・又は１２，１２，１２・・・の側面に設ければよい。
【００１１】
図２は、左右壁２が上枠４に係合する直前の状態を内面から見た平面図である。手掛穴５ａは凹部１２の下方に設けられている。図３は、左右壁２と上枠４とを係合すると共に、伸縮性フィルム６を貼着した状態を内面から見た平面図である。伸縮性フィルム６は、手掛穴５ａを覆うようにして貼着されていると共に、凹部１２を覆わない状態で貼着されている。また、伸縮性フィルム６の手掛穴５ａに相当する部位には粘着剤は設けられていない。手掛穴５ａは手指が当接する箇所であるので、粘着剤が設けられていると手指が汚れるので好ましくない。さらに、伸縮性フィルム６の端部６ａにも、粘着剤は設けられていない。この端部６ａは、伸縮性フィルム６を剥離するときの剥離口となるものである。なお、伸縮性フィルム６に粘着剤が設けられていないという意味は、結果的な意味である。すなわち、伸縮性フィルム６に粘着剤が塗布されているけれども、その粘着剤の表面に印刷等を施して、粘着性が消失した状態も、粘着剤が設けられていないという表現に含まれている。
【００１２】
図４は、前後壁３が上枠４に係合する直前の状態を内面から見た平面図である。手掛穴５ｂは凹部１３の下方に設けられている。図５は、前後壁３と上枠４とを係合すると共に、伸縮性フィルム６を貼着した状態を内面から見た平面図である。伸縮性フィルム６は手掛穴５ｂを覆い、さらに凸部１４及び凹部１３を覆って貼着されている。そして、伸縮性フィルム６の手掛穴５ｂに相当する部位には、前記と同様の理由で粘着剤は設けられていない。また、凸部１４及び凹部１３に相当する部位にも粘着剤は設けられていない。凸部１４及び凹部１３は折り畳み時に浮沈するので、粘着剤が擦れたり歪んだりして、粘着力が低下するからである。また、複数の凸部１４，１４及び凹部１３，１３を覆っている場合、凸部１４，１４間及び凹部１３，１３間と手掛穴５ｂの上辺で区画された領域においても、粘着剤が設けられていないことが好ましい。この領域に手指を差し入れることができ、搬送しやすくなるからである。なお、前後壁３には中央に水平方向に折曲域１６があり、前後壁３は折曲域１６でも折り畳まれるものである。これに対して、左右壁２にはかかる折曲域１６はなく、上枠４に対して略９０度揺動して折り畳まれるだけである。
【００１３】
本発明に用いる伸縮性フィルム６について説明する。伸縮性フィルム６は素材としてエラストマー（弾性樹脂）よりなるフィルムであり、一般的にポリウレタンフィルムが用いられる。そして、伸縮性フィルム６は無孔であり、透明又は半透明のものが一般的である。また、その形状は一般的に長方形である。本発明に用いる伸縮性フィルムが折り畳みコンテナに貼着される前の状態は、図６及び図８に示した貼着ラベルの形態となっている。図６は、左右壁２に伸縮性フィルム６を貼着する際に用いる貼着ラベルの模式的中央縦断面図である。この貼着ラベルは、剥離紙９、粘着剤層８、合成樹脂製フィルム７及び伸縮性フィルム６の順に積層されてなるものである。そして、剥離紙９、粘着剤層８及び合成樹脂製フィルム７は、手掛穴５ａに相当する部位に存在せず、かつ、粘着剤層８は伸縮性フィルム６の端部６ａに存在しない状態となっている。図７は、この貼着ラベルを用いて、折り畳みコンテナの手掛穴５ａを覆うように貼着した状態の模式的中央縦断面図である。手掛穴５ａに相当する位置には、伸縮性フィルム６のみが存在した状態となっている。なお、合成樹脂製フィルム７としては、一般的にポリエステルフィルム又はポリオレフィンフィルム等が用いられ、剛性のあるもので、粘着剤を塗布しやすくすると共に、ラベルマシン等で左右壁２に貼着する際、貼着しやすくするために設けられているものである。
【００１４】
図８は、前後壁４に伸縮性フィルム６を貼着する際に用いる貼着ラベルの模式的中央縦断面図である。この貼着ラベルも、剥離紙９、粘着剤層８、合成樹脂製フィルム７及び伸縮性フィルム６の順に積層されてなるものである。そして、剥離紙９、粘着剤層８及び合成樹脂製フィルム７は、手掛穴５ｂ、凸部１４及び凹部１３に相当する部位に存在せず、かつ、粘着剤層８は伸縮性フィルム６の端部６ａに存在しない状態となっている。図９は、この貼着ラベルを用いて、折り畳みコンテナの手掛穴５ｂを覆うように貼着した状態の模式的中央縦断面図である。手掛穴５ｂに相当する位置、凸部１４及び凹部１３に相当する部位には、伸縮性フィルム６のみが存在した状態となっている。図９は、伸縮性フィルム６が複数の凸部１４，１４及び凹部１３，１３を覆っている場合（図５）を示したものであり、複数の凸部１４，１４及び凹部１３，１３間と、手掛穴５ｂの上辺で区画された領域においても、粘着剤層８が存在しない状態となっている。したがって、図９の場合は、図７の場合に比べて、手掛穴５ｂの上辺よりも上の領域に手指を差し入れることができ、持ち運びしやすい折り畳みコンテナとなる。
【発明の効果】
【００１５】
本発明に係る折り畳みコンテナは、手掛穴が伸縮性フィルムで覆われているので、手掛穴からネズミやゴキブリ等が進入したり、ＰＭ２．５といった微小粒子状物質が入り込むのを防止でき、収納された生鮮食料品等の内容物が不衛生になるのを防止でき、食の安全対策として有効なものである。また、伸縮性フィルムは、折り畳みコンテナの前後壁及び左右壁の折り畳み箇所に存在する凸部及び凹部が、粘着剤によって貼着されていないので、折り畳み時に凸部及び凹部が浮沈しても、粘着剤が擦れたり歪んだりすることを防止でき、折り畳み時に剥離しにくくなるという効果を奏する。さらに、伸縮性フィルムの端部には、粘着剤によって粘着されていない箇所が設けられているので、伸縮性フィルムの貼り替え時に容易に古い伸縮性フィルムを剥離しうるという効果を奏する。
【図面の簡単な説明】
【００１６】
【図１】本発明の一例に係る折り畳みコンテナの基本的構成を示した斜視図である。
【図２】左右壁が上枠に係合する直前の状態を内面から見た平面図である。
【図３】左右壁と上枠とを係合すると共に、伸縮性フィルムを貼着した状態を内面から見た平面図である。
【図４】前後壁が上枠に係合する直前の状態を内面から見た平面図である。
【図５】前後壁と上枠とを係合すると共に、伸縮性フィルムを貼着した状態を内面から見た平面図である。
【図６】左右壁に伸縮性フィルムを貼着する際に用いる貼着ラベルの模式的中央縦断面図である。
【図７】図６に示した貼着ラベルを用いて、折り畳みコンテナの手掛穴を覆うように貼着した状態の模式的中央縦断面図である。
【図８】前後壁に伸縮性フィルムを貼着する際に用いる貼着ラベルの模式的中央縦断面図である。
【図９】図８に示した貼着ラベルを用いて、折り畳みコンテナの手掛穴を覆うように貼着した状態の模式的中央縦断面図である。
【符号の説明】
【００１７】
１      底板
２      左右壁
３      前後壁
４      上枠
５ａ    左右壁に設けられた手掛穴
５ｂ    前後壁に設けられた手掛穴
６      伸縮性フィルム
６ａ    伸縮性フィルムの端部
７      合成樹脂製フィルム
８      粘着剤層
９      剥離紙
１２    左右壁の上辺に設けられた凹部
１３    前後壁の上辺に設けられた凹部
１４    上枠に設けられた凸部
１６    前後壁の中央に水平方向に設けられた折曲域
【図１】
2016033049.tif 000003
【図２】
2016033049.tif 000004
【図３】
2016033049.tif 000005
【図４】
2016033049.tif 000006
【図５】
2016033049.tif 000007
【図６】
2016033049.tif 000008
【図７】
2016033049.tif 000009
【図８】
2016033049.tif 000010
【図９】
2016033049.tif 000011